(57)【要約】【課題】ブレード状の清掃部材による汚れの付着による画像の品質低下を防止する。【解決手段】前回のジョブの最後にクリーニング・ブレードが中間転写体から離間したときに生じた汚れ（脱時汚れ）および今回のジョブの最初にクリーニング・ブレードが当接したときに生じた汚れ（着時汚れ）の領域は、２次転写制御が行われる、２次転写ローラが中間転写体に当接する領域と重ならないように制御する（（Ａ）〜（Ｂ））。中間転写体に１次転写が行われる場合には、中間転写体上の脱時および着時汚れは、画像領域とは重ならないように制御する（（Ｃ）〜（Ｅ））。【選択図】  図４
2004264558.tif 000002
【特許請求の範囲】
【請求項１】
現像剤によって現像された画像を担持する像担持体と、
像担持体上に担持された画像が転写され、転写された画像をさらに被転写媒体に転写する中間転写手段と、
前記中間転写手段に当接させることにより前記中間転写手段を清掃する清掃部材と、
前記清掃部材を駆動して、前記中間転写手段に当接させ、および該中間転写手段から離間させ、前記中間転写手段の清掃を制御する清掃駆動制御手段と、
を備え、
前記被転写媒体上に画像を形成する画像形成動作を含む画像形成ジョブを実行する画像形成装置において、
前記清掃部材が当接または離間した前記中間転写手段の部位が、前記中間転写手段に画像が転写される画像領域内とならないように制御することを特徴とする画像形成装置。
【発明の詳細な説明】
【０００１】
【発明の属する技術分野】
本発明は、画像形成装置、特にフルカラー画像形成装置に関する。
【０００２】
【従来の技術】
近年のカラー画像形成装置の転写方式には様々な方式があり、シアン、マゼンタ、イエロー、ブラックの４色を順次用紙に直接転写していく方式や、中間転写体と呼ばれる媒体に一旦４色の像を合成して保持し、用紙に転写する方式などがある。中間転写体を用いる方式では、中間転写体から用紙に像を転写する工程を経ても、用紙側に転写できなかった現像剤が付着している。そこで、用紙への転写工程後、次の形成画像に対する影響を避けるために、クリーニング・ブレードと呼ばれる部材を中間転写体に当接させることにより、クリーニング・ブレードで中間転写体に付着して残った現像剤を掻き取っている。
【０００３】
【発明が解決しようとする課題】
しかしながら、掻き取られたトナーが少ない場合には、そのまま廃トナー回収ボックスへと搬送されるが、画像形成される際に使用されるトナーが多い場合や、ブレード自身の耐久が進むにつれ、掻き取ったはずの残留トナーがブレード面にこびりつきがちになり、クリーニング・ブレード面と中間転写体表面とが離間した状態でクリーニング・ブレードが当接したり、また、当接した状態からブレードを離間させたりすると、ブレード面と中間転写体の接点部分にトナーが逆に付着してしまうという問題がある。このため、このクリーニング・ブレードの着脱を行った中間転写体の位置で像形成を行うと、クリーニング・ブレードの汚れとして用紙に転写されてしまうため、結果、画像の品質を低下させるおそれがあった。また、画像領域ではないとしても、直後の画像形成の前回転処理で例えば転写ＡＴＶＣ制御のサンプリングを実施しているような場合には、このような汚れが中間転写体に付着した状態で実施すると所望の値を得ることができなくなってしまっていた。
【０００４】
本発明は、かかる従来技術の課題を解決するためになされたものであって、その目的とするところは、清掃部材による汚れの付着による画像の品質低下および他の処理への影響を防止することにある。
【０００５】
【課題を解決するための手段】
上記目的を達成するために、本発明は、現像剤によって現像された画像を担持する像担持体と、像担持体上に担持された画像が転写され、転写された画像をさらに被転写媒体に転写する中間転写手段と、前記中間転写手段に当接させることにより前記中間転写手段を清掃する清掃部材と、前記清掃部材を駆動して、前記中間転写手段に当接させ、および該中間転写手段から離間させ、前記中間転写手段の清掃を制御する清掃駆動制御手段と、を備え、前記被転写媒体上に画像を形成する画像形成動作を含む画像形成ジョブを実行する画像形成装置において、前記清掃部材が当接または離間した前記中間転写手段の部位が、前記中間転写手段に画像が転写される画像領域内とならないように制御することを特徴とする画像形成装置である。
【０００６】
このようにすれば、清掃部材の汚れが被転写媒体に転写されないため、画像の品質低下を防止することができる。
【０００７】
ここで、画像形成ジョブには、画像形成動作を含む一連の処理からなり、例えば、画像形成動作の前に行われる前処理、画像形成動作の後に行われる後処理を含むジョブがあるが、これに限られない。
【０００８】
また、本発明は、現像剤によって現像された画像を担持する像担持体と、像担持体上に担持された画像が転写され、転写された画像をさらに被転写媒体に転写する中間転写手段と、前記中間転写手段に当接させることにより前記中間転写手段を清掃するブレード状の清掃部材と、前記清掃部材を駆動して、前記中間転写手段に当接させ、および該中間転写手段から離間させ、前記中間転写手段の清掃を制御する清掃駆動制御手段と、を備え、前記被転写媒体上に画像を形成する画像形成動作を含む画像形成ジョブを実行する画像形成装置において、前記清掃駆動制御手段は、画像形成ジョブ開始後に前記清掃部材を駆動し、前記清掃部材の駆動開始時に該清掃部材が前記中間転写手段に当接した該中間転写手段の部位と前回の画像形成ジョブの最後に該清掃部材が前記中間転写手段から離間した該中間転写手段の部位が、該中間転写手段に画像が転写される画像領域とは異なる領域に含まれるように前記清掃部材を駆動する機能を有する画像形成装置である。
【０００９】
このようにすれば、清掃部材の汚れが被転写媒体に転写されないため、画像の品質低下を防止することができる。
【００１０】
また、本発明は、現像剤によって現像された画像を担持する像担持体と、像担持体上に担持された画像が転写され、転写された画像をさらに被転写媒体に転写する中間転写手段と、前記中間転写手段に当接させることにより前記中間転写手段を清掃するブレード状の清掃部材と、前記清掃部材を駆動して、前記中間転写手段に当接させ、および該中間転写手段から離間させ、前記中間転写手段の清掃を制御する清掃駆動制御手段と、を備え、前記被転写媒体上に画像を形成する画像形成動作を含む画像形成ジョブを実行する画像形成装置において、前記清掃駆動制御手段は、画像形成ジョブ開始後に前記清掃部材を駆動し、前回の画像形成ジョブの最後に該清掃部材が前記中間転写手段から離間した該中間転写手段の部位が、次回の画像形成ジョブの最初に行われる所定の処理に使用される該中間転写手段の領域とは異なる領域に含まれるように前記清掃部材を駆動する機能を有する画像形成装置である。
【００１１】
このようにすれば、直前の画像形成ジョブにおける清掃部材により付着した汚れが次の画像形成ジョブで行われる他の処理への影響を防止することができる。
【００１２】
このような、画像形成ジョブの最初に行われる所定の処理としては、前回の画像形成ジョブで中間転写手段上に残留している現像剤を清掃する処理や、中間転写手段から被転写媒体への最適な転写制御を実現するための処理等がある。
【００１３】
【発明の実施形態】
以下、本発明の実施形態について説明する。
【００１４】
（画像形成装置の基本構成および画像形成シーケンス）
以下、本発明の一実施形態であるフルカラー画像形成装置の概略構成を表す図１に基づいて、画像形成装置の基本的な構成および画像形成シーケンスについて説明する。
【００１５】
まず、カラーリーダ部１の構成について説明する。１０１は原稿台ガラス（プラテン）、１０２は自動原稿給紙装置（ＡＤＦ）である。なお、この自動原稿給紙装置１０２の代わりに、鏡面圧板もしくは白色圧板（図示せず）を装着する構成でもよい。１０３および１０４は原稿を照明する光源であり、ハロゲンランプ、蛍光灯、キセノン管ランプなどの光源を使用する。１０５および１０６は光源１０３および１０４の光を原稿に集光する反射傘である。１０７〜１０９はミラー、１１０は原稿からの反射光または投影光をＣＣＤ（電荷結合素子）イメージセンサ（以下、ＣＣＤと表記する）１１１上に集光するレンズである。１１２はＣＣＤ１１１が実装されている基板、１００は画像形成装置全体を制御する制御部、１１３はディジタル画像処理部である。１１４は、光源１０３および１０４と反射傘１０５および１０６と、ミラー１０７を収容するキャリッジである。１１５は、ミラー１０８および１０９を収容するキャリッジである。なお、キャリッジ１１４は速度Ｖで、キャリッジ１１５は速度Ｖ／２で、ＣＣＤ１１１の電気的走査方向（主走査方向Ｘ）に対して直交する副走査方向Ｙに機械的に移動することによって、原稿の全面を走査する。１１６は他のデバイスとの外部インターフェイス（Ｉ／Ｆ）である。
【００１６】
また、制御部１００は、図２に示すようにディジタル画像処理部１１３とプリンタ制御部２５０に対してそれぞれ制御を行うための情報をやり取りするＩ／Ｆを持つとともに外部インターフェイスを介して他のデバイスとの間で情報をやり取りするＣＰＵ３０１と操作部３０３、メモリ３０２によって構成されている。操作部３０３は操作者による処理実行内容の入力や操作者に対する処理に関する情報及び警告等の通知のためのタッチパネル付き液晶により構成される。
【００１７】
次に、ディジタル画像処理部１１３の詳細な説明を行う。図３はディジタル画像処理部１１３の詳細な構成を示すブロック図である。
【００１８】
原稿台ガラス上の原稿は光源１０３・１０４からの光を反射し、その反射光はＣＣＤ１１１に導かれて電気信号に変換される（ＣＣＤ１１１がカラーセンサの場合には、ＲＧＢのカラーフィルタが１ラインＣＣＤ上にＲＧＢ順にインラインに搭載されたものでもよいし、３ラインＣＣＤであれば、それぞれＲフィルタ・Ｇフィルタ・ＢフィルタをそれぞれのＣＣＤごとに並べたものでもよい。さらに、フィルタがオンチップ化又は、フィルタがＣＣＤと別構成になったものでもよい）。
【００１９】
そして、その電気信号（アナログ画像信号）は画像処理部１１３に入力され、クランプ＆Ａｍｐ＆Ｓ／Ｈ＆Ａ／Ｄ部５０２でサンプルホールド（Ｓ／Ｈ）され、アナログ画像信号のダークレベルを基準電位にクランプし、所定量に増幅され（上記処理の順序は表記した順には限られず、他の順序で処理を行うようにしてもよい）、Ａ／Ｄ変換されて、例えばＲＧＢ各８ビットのディジタル信号に変換される。
【００２０】
そして、ＲＧＢ信号はシェーディング部５０３で、シェーディング補正及び黒補正が施された後、つなぎ＆ＭＴＦ補正＆原稿検知部５０４で、ＣＣＤ１１１が３ラインＣＣＤの場合には、つなぎ処理はライン間の読取位置が異なるため、読取速度に応じてライン毎の遅延量を調整し、３ラインの読取位置が同じになるように信号タイミングを補正し、ＭＴＦ補正は読取速度や変倍率によって読取のＭＴＦが変わるため、その変化を補正し、原稿検知は原稿台ガラス上の原稿を走査することにより原稿サイズを認識する。
【００２１】
読取位置タイミングが補正されたディジタル信号は入力マスキング部５０５によって、ＣＣＤ１１１の分光特性及び光源１０３・１０４及び反射傘１０５・１０６の分光特性を補正する。
【００２２】
入力マスキング部５０５の出力は外部Ｉ／Ｆ信号との切り換え可能なセレクタ５０６に入力される。
【００２３】
セレクタ５０６から出力された信号は色空間圧縮＆下地除去＆ＬＯＧ変換部５０７と下地除去部５１４に入力される。下地除去部５１４に入力された信号は下地除去された後、原稿中の原稿の黒い文字かどうかを判定する黒文字判定部５１５に入力され、原稿から黒文字信号を生成する。また、もう一つのセレクタ５０６の出力が入力された色空間圧縮＆下地除去＆ＬＯＧ変換部５０７では、色空間圧縮処理では読み取った画像信号がプリンタで再現できる範囲に入っているかどうか判断し、入っている場合はそのまま、入っていない場合は画像信号をプリンタで再現できる範囲に入るように補正する。そして、下地除去処理を行い、ＬＯＧ変換部でＲＧＢ信号からＹＭＣ信号に変換する。そして、黒文字判定部５１５で生成された信号とタイミングを補正するため、色空間圧縮＆下地除去＆ＬＯＧ変換部５０７の出力信号は遅延５０８でタイミングを調整される。
【００２４】
この二種類の信号はモワレ除去部５０９でモワレが除去され、変倍処理部５１０で主走査方向に変倍処理される。
【００２５】
５１１はＵＣＲ＆マスキング＆黒文字反映部で、変倍処理部５１０で処理された信号は、ＹＭＣ信号からはＵＣＲ処理でＹＭＣＫ信号が生成され、マスキング処理部でプリンタの出力にあった信号に補正されると共に、黒文字判定部５１５で生成された判定信号がＹＭＣＫ信号にフィードバックされる。
【００２６】
ＵＣＲ＆マスキング＆黒文字反映部５１１で処理された信号はγ補正部５１２で濃度調整された後、フィルタ部５１３でスムージング又はエッジ処理される。
【００２７】
以上処理された画像データは、５１６のページメモリ部に格納され、プリンタ部の画像形成タイミングに合わせて、プリンタ部へ出力される。
【００２８】
次に、カラープリンタ部２の構成を説明する。図１において２５０はプリンタ制御部であり、画像形成装置全体の制御部である制御部１００上のＣＰＵ３０１からの制御信号の受け口となる。制御部１００は、カラーリーダ部１に対して、すでに説明した画像読み取り制御を実施することで読み取り画像データを一旦制御部上のメモリ３０２に格納し、プリンタ制御部２５０からの基準タイミングに従いメモリ上の画像データをビデオクロックに同期させて画像データ信号としてプリンタ制御部２５０に送信する。
【００２９】
プリンタ部はプリンタ制御部２５０からの制御信号に基づいて以下で説明する動作を行う。２０１はレーザスキャナで、画像データ信号に対応するレーザ光を、ポリゴンミラーで主走査方向に走査して像担持体としての感光ドラム２０２に照射する。感光ドラム２０２上に形成された静電潜像は、感光ドラム２０２の時計方向への回転により４色現像ロータリ各色中の１色のスリーブ位置に達する。静電潜像が形成された感光ドラム２０２表面と現像バイアスが印加された現像スリーブ面との間に形成される電位量に応じたトナーが、各色現像器２０３から感光ドラム２０２表面へ飛ばされ、感光ドラム２０２表面の静電潜像が現像される。
【００３０】
感光ドラム２０２上に形成されたトナー像は、感光ドラム２０２の時計方向への回転により、反時計方向に回転する中間転写体（中間転写手段）２０５に転写される。黒単色画像の場合には、中間転写体２０５に対して所定時間間隔を空けて順次画像形成され１次転写される。フルカラー画像の場合には、感光ドラム上の各色に対応する静電潜像を、各色毎に順次現像ロータリのスリーブ位置出しを行い、現像／１次転写し、中間転写体２０５の４回転後に、すなわち４色分の１次転写した時点で、フルカラー画像の１次転写が完了する。
【００３１】
一方、各カセット（上段カセット２０８／下段カセット２０９／３段目カセット２１０／４段目カセット２１１）から各カセット段の各ピックアップローラ２１２／２１３／２１４／２１５によりピックアップされ、各カセット段の各給紙ローラ２１６／２１７／２１８／２１９により搬送される記録紙（被転写媒体）は、縦パス搬送ローラ２２２／２２３／２２４／２２５によりレジストローラ２２１まで搬送される。手差し給紙の場合には、手差しトレイ２４０に積載された記録紙は、手差し給紙ローラ２２０でレジストローラ２２１まで搬送される。
【００３２】
そして、中間転写体２０５への転写が終了するタイミングで、中間転写体２０５と２次転写ローラ２０６の間に記録紙が搬送される。その後、記録紙は２次転写ローラ２０６と中間転写体２０５とに挟まれる形で定着器方向へ搬送されるとともに中間転写体２０５に圧着され、中間転写体２０５上のトナー像が記録紙に２次転写される。記録紙に転写されたトナー像は、定着ローラおよび加圧ローラ２０７により加熱および加圧され記録紙に定着される。なお、記録紙に転写されずに残る中間転写体２０５上の転写残留トナーに関しては、中間転写体２０５の表面上に当接・離間可能なクリーニング・ブレード（清掃部材）２３０をこすり当て、転写残留トナーを中間転写体２０５表面から掻き取ることで、画像形成シーケンス後半の後処理制御でクリーニングされる。感光ドラムユニット内では、残留トナーがブレード２３０によりドラム表面から掻き取られ、感光ドラムユニット内に一体化されている廃トナーボックス２３２まで搬送される。さらに、予期せぬことで吸着している可能性のある２次転写ローラ２０６表面上の正負各極性の残留トナーを２次転写正バイアスおよび２次転写逆バイアスを交互に印加し、中間転写体２０５上に各極性の残留トナーを吸着させ、上記の中間転写クリーニング・ブレード２３０で残留トナーを掻き取ることで、残トナーが完全にクリーニングされて後処理制御は終了する。ここで、清掃駆動制御手段は、プリンタ制御部２５０または、これに制御部１００を加えて構成される。
【００３３】
画像が定着された記録紙は、第１排紙の場合には、第１排紙フラッパ２３７を第１排紙ローラ方向に切り替えて、排紙ローラ２３３を目指して排紙される。第２排紙の場合には、第１排紙フラッパ２３７および第２排紙フラッパ２３８を第２排紙ローラ方向に切り替えて、排紙ローラ２３４を目指して排紙される。第３排紙の場合には、一旦反転ローラ２３５で反転動作を行うために、第１排紙フラッパおよび第２排紙フラッパを反転ローラ２３５方向に切り替えて反転ローラ２３５で反転させる。反転ローラ２３５で反転後、第３排紙フラッパを第３排紙方向に切り替えて、第３排紙ローラ２３６を目指して排紙される。両面排紙の場合には、第３排紙の場合と同様に一旦反転ローラ部２３５で反転動作を行い、第３排紙フラッパを両面ユニット方向に切り替えて、両面ユニットに搬送される。両面センサで記録紙が検出されてから所定時間後に一旦停止し、再度画像準備が整い次第再給紙され、２面目の画像が形成される。
【００３４】
（クリーニング・ブレードの着脱制御）
次に本発明における、クリーニング・ブレードの着脱制御について説明する。図４の（Ａ）から（Ｄ）は中間転写体２０５におけるクリーニング・ブレード２３０の着脱汚れと像形成した画像領域の関係を示した図である。
【００３５】
まず図中（Ａ）は画像形成ジョブ投入後の前回転処理開始時において中間転写体の回転を開始後、クリーニング・ブレードの当接動作を行った後の状態を示している。図中の中間転写体２０５は反時計回りで回転するため、クリーニング・ブレード２３０から離れた位置にあるのが前回の画像形成ジョブの最後にクリーニング・ブレード２３０を離間した時（図中「脱時」と表記）に生じたブレード汚れであり、クリーニング・ブレード２３０から近い位置あるのが今回の画像形成ジョブの最初にクリーニング・ブレード２３０を当接した時（図中「着時」と表記）に生じたブレード汚れである。
【００３６】
ここで、前回転処理に関して説明する。図中（Ａ）〜（Ｂ）の間で前回転処理が実施される。前回転処理では、中間転写体２０５およびドラム２０２の回転開始から始まり、最初にクリーニング・ブレード２３０を当接させ、前回の画像形成ジョブでの残留している可能性のある中間転写体上の残留トナークリーニングを実行する。この際に図中（Ａ）の汚れ（着時汚れ）が付着する。
【００３７】
また、前回転処理では、中間転写体２０５の回転開始とともに、最適な２次転写制御を実現するための転写ＡＴＶＣ（Ａｕｔｏ  Ｔｒａｎｓｆｅｒ  Ｖｏｌｔａｇｅ  Ｃｏｎｔｒｏｌ）制御を実行する。この転写ＡＴＶＣ制御では、２次転写ローラ２０６を中間転写体２０５に当接し、サンプリング用に２次転写電圧値を数点分印加し、各印加電圧に対して２次転写電流のアナログ信号のサンプリングを実施する。サンプリングした２次転写電流のアナログ信号をＡ／Ｄ変換する。この２次転写ＡＴＶＣ制御で、中間転写体上に残留トナーのような汚れが付着していた場合には、サンプリングされる２次転写電流のアナログ信号レベルに異常をきたすため、前述のクリーニング・ブレード２３０の脱着によるトナー汚れの領域は、２次転写ＡＴＶＣ制御実行領域に入らないように、クリーニング・ブレード２３０の脱着のタイミング制御をしなければならない。そこで、本実施形態では、クリーニング・ブレード２３０の位置と２次転写ローラ２０６の位置関係上、クリーニング・ブレード２３０を離間した直後に中間転写体２０５を停止させている。図中（Ｃ）は前回転処理が終了して、画像形成されたトナー画像が中間転写体２０５上に１次転写された状態で、このときには中間転写体２０５上に付着した前述の汚れ領域がクリーニング・ブレード領域近傍にある。すなわち、ブレードの着脱によるトナー汚れの領域は、画像転写領域内に入らないように制御されている。
【００３８】
また、フルカラー連続画像形成時の紙間において、２次転写終了後の中間転写体２０５上の残留トナーをクリーニングするためにクリーニング・ブレード２３０を当接し、クリーニング終了した後には、すぐに中間転写体２０５表面に１次転写された次ページの第１色目の画像先端がクリーニング・ブレード近傍までやってくるため、再度クリーニング・ブレードを離間する必要がある（図中（Ｄ））。このクリーニング・ブレード離間の際に、再度中間転写体２０５表面上に付着したトナー汚れは、現在実行している画像形成には影響を与えることはない（図中（Ｅ））が、連続画像形成中に、例えばパッチ検知等の画像間隔を空ける処理が入った際に、その処理の最後に汚れたトナー付着領域をクリーニングする必要がある。画像間隔を空けた直後の画像領域に付着した汚れたトナー領域が、画像間隔を空けた直後の画像領域に入る可能性があるため、画像領域に入ると、画像を汚してしまう問題が発生してしまうからである。
【００３９】
（実施態様）
本発明は、以下の実施態様を含む。
【００４０】
（実施態様１）  現像剤によって現像された画像を担持する像担持体と、
像担持体上に担持された画像が転写され、転写された画像をさらに被転写媒体に転写する中間転写手段と、
前記中間転写手段に当接させることにより前記中間転写手段を清掃する清掃部材と、
前記清掃部材を駆動して、前記中間転写手段に当接させ、および該中間転写手段から離間させ、前記中間転写手段の清掃を制御する清掃駆動制御手段と、
を備え、
前記被転写媒体上に画像を形成する画像形成動作を含む画像形成ジョブを実行する画像形成装置において、
前記清掃部材が当接または離間した前記中間転写手段の部位が、前記中間転写手段に画像が転写される画像領域内とならないように制御することを特徴とする画像形成装置。
【００４１】
（実施態様２）  現像剤によって現像された画像を担持する像担持体と、
像担持体上に担持された画像が転写され、転写された画像をさらに被転写媒体に転写する中間転写手段と、
前記中間転写手段に当接させることにより前記中間転写手段を清掃する清掃部材と、
前記清掃部材を駆動して、前記中間転写手段に当接させ、および該中間転写手段から離間させ、前記中間転写手段の清掃を制御する清掃駆動制御手段と、
を備え、
前記被転写媒体上に画像を形成する画像形成動作を含む画像形成ジョブを実行する画像形成装置において、
前記清掃駆動制御手段は、
画像形成ジョブ開始後に前記清掃部材を駆動し、
前記清掃部材の駆動開始時に該清掃部材が前記中間転写手段に当接した該中間転写手段の部位と前回の画像形成ジョブの最後に該清掃部材が前記中間転写手段から離間した該中間転写手段の部位が、該中間転写手段に画像が転写される画像領域とは異なる領域に含まれるように前記清掃部材を駆動する機能を有する画像形成装置。
【００４２】
（実施態様３）  現像剤によって現像された画像を担持する像担持体と、
像担持体上に担持された画像が転写され、転写された画像をさらに被転写媒体に転写する中間転写手段と、
前記中間転写手段に当接させることにより前記中間転写手段を清掃する清掃部材と、
前記清掃部材を駆動して、前記中間転写手段に当接させ、および該中間転写手段から離間させ、前記中間転写手段の清掃を制御する清掃駆動制御手段と、
を備え、
前記被転写媒体上に画像を形成する画像形成動作を含む画像形成ジョブを実行する画像形成装置において、
前記清掃部材が当接または離間した前記中間転写手段の部位が、前記画像形成ジョブの最初に行われる所定の処理に使用される前記中間転写手段の領域内とならないように制御することを特徴とする画像形成装置。
【００４３】
（実施態様４）  現像剤によって現像された画像を担持する像担持体と、
像担持体上に担持された画像が転写され、転写された画像をさらに被転写媒体に転写する中間転写手段と、
前記中間転写手段に当接させることにより前記中間転写手段を清掃する清掃部材と、
前記清掃部材を駆動して、前記中間転写手段に当接させ、および該中間転写手段から離間させ、前記中間転写手段の清掃を制御する清掃駆動制御手段と、
を備え、
前記被転写媒体上に画像を形成する画像形成動作を含む画像形成ジョブを実行する画像形成装置において、
前記清掃駆動制御手段は、
画像形成ジョブ開始後に前記清掃部材を駆動し、
前回の画像形成ジョブの最後に該清掃部材が前記中間転写手段から離間した該中間転写手段の部位が、次回の画像形成ジョブの最初に行われる所定の処理に使用される該中間転写手段の領域とは異なる領域に含まれるように前記清掃部材を駆動する機能を有する画像形成装置。
【００４４】
【発明の効果】
以上説明したように本発明によれば、清掃部材による汚れの付着による画像の品質低下および他の処理への影響を防止することができる。
【図面の簡単な説明】
【図１】本発明実施形態の概略構成を示す図である。
【図２】本発明実施形態の画像形成装置の制御処理部ブロック図である。
【図３】本発明実施形態の画像読み取り時のＣＣＤ入力からプリンタ部までのディジタル画像処理部の要部構成を示す図である。
【図４】本発明実施形態の中間転写体の各位置関係と制御の手順を示す図である。
【符号の説明】
１  カラーリーダ部
２  カラープリンタ部
１００  制御部
１０１  原稿ガラス台（プラテン）
１０２  自動原稿給紙装置（ＡＤＦ）
１０３、１０４  光源
１０５、１０６  反射傘
１０７、１０８、１０９  ミラー
１１０  レンズ
１１１  ＣＣＤ（電荷結合素子）
１１２  ＣＣＤが実装されている基板
１１３  ディジタル画像処理部
１１４、１１５  キャリッジ
１１６  外部インターフェイス（Ｉ／Ｆ）
２０１  レーザスキャナ
２０２  感光ドラム（静電坦持体）
２０３  現像ロータリ
２０５  中間転写体
２０６  転写ベルト
２０７  加圧ローラ
２０８  上段カセット
２０９  下段カセット
２１２、２１３、２１４、２１５  ピックアップローラ
２１７、２１８、２１９、２２５  給紙ローラ
２２２、２２３、２２４、２２５  搬送ローラ
２２０  手差し給紙ローラ
２５０  プリンタ制御部
３０１  ＣＰＵ
３０２  メモリ
３０３  操作部
【図１】
2004264558.tif 000003
【図２】
2004264558.tif 000004
【図３】
2004264558.tif 000005
【図４】
2004264558.tif 000006